(57)【要約】【課題】  保守管理や安全性の確保が容易である低コストな消防システムを提供する。【解決手段】  消防システムであって、所定の場所に設けられた水を放出するスプリンクラーとＳＰ、スプリンクラー（ＳＰ）に向けて送水する加圧送水装置４と、消火物放出信号を所定の場合に送信するスプリンクラー（ＳＰ）ごとに設けられた圧力スイッチ２と、圧力スイッチ２から消火物放出信号を受信し、この受信した消火物放出信号に基づいて水を放出しているスプリンクラー（ＳＰ）を特定し、この特定したスプリンクラー（ＳＰ）の種類および設置場所に基づいて加圧送水装置４に送水圧力制御信号および送水量制御信号を送信する制御装置５と、を備える。【選択図】          図１
2005253532.tif 000002
【特許請求の範囲】
【請求項１】
所定の場所に設けられた消火物を放出する放出装置と、
前記放出装置に向けて送水する加圧送水装置と、
消火物放出信号を所定の場合に送信する前記放出装置ごとに設けられた消火物放出信号送信装置と、
前記消火物放出信号送信装置から消火物放出信号を受信し、この受信した消火物放出信号に基づいて消火物を放出している放出装置を特定し、この特定した放出装置の種類および設置場所に基づいて前記加圧送水装置に送水圧力制御信号および送水量制御信号を送信する制御装置と、
を備えたことを特徴とする消防システム。
【請求項２】
所定の場所に設けられた消火物を放出する放出装置と、
前記放出装置に向けて送水する加圧送水装置と、
消火物放出信号を所定の場合に送信する前記放出装置ごとに設けられた消火物放出信号送信装置と、
前記消火物放出信号送信装置から消火物放出信号を受信し、この受信した消火物放出信号に基づく信号を送信する自動火災報知装置と、
前記自動火災報知装置から信号を受信し、この受信した信号に基づいて消火物を放出している放出装置を特定し、この特定した放出装置の種類および設置場所に基づいて前記加圧送水装置に送水圧力制御信号および送水量制御信号を送信する制御装置と、
を備えたことを特徴とする消防システム。
【請求項３】
前記放出装置は、火災が発生した場合に自動的に消火物を放出する自動放出装置であり、
前記消火物放出信号送信装置は、前記放出装置から放出される消火物の圧力が所定値以下となった場合に消火物放出信号を送信する圧力スイッチである、
ことを特徴とする請求項１または請求項２に記載の消防システム。
【請求項４】
前記自動放出装置は、スプリンクラー、泡放出装置、またはスプリンクラーおよび泡放出装置であることを特徴とする請求項３に記載の消防システム。
【請求項５】
前記放出装置は、手動で消火物を放出する手動放出装置であり、
前記消火物放出信号送信装置は、起動押しボタンである、
ことを特徴とする請求項１または請求項２に記載の消防システム。
【請求項６】
前記手動放出装置は、屋内消火栓装置であることを特徴とする請求項５に記載の消防システム。
【請求項７】
前記放出装置は、火災が発生した場合に自動的に消火物を放出する自動放出装置および手動で消火物を放出する手動放出装置であり、
前記自動放出装置について設けられている消火物放出信号送信装置は、前記放出装置から放出される消火物の圧力が所定値以下となった場合に消火物放出信号を送信する圧力スイッチであり、
前記手動放出装置について設けられている消火物放出信号送信装置は、起動押しボタンである、
ことを特徴とする請求項１または請求項２に記載の消防システム。
【請求項８】
前記自動放出装置は、スプリンクラー、泡放出装置、またはスプリンクラーおよび泡放出装置であり、
前記手動放出装置は、屋内消火栓装置である、
ことを特徴とする請求項７に記載の消防システム。
【請求項９】
所定の場所に設けられた消火物を放出する第１の放出装置と、
所定の場所に設けられた消火物を放出する第２の放出装置と、
前記第１の放出装置および第２の放出装置に向けて送水する加圧送水装置と、
消火物放出信号を所定の場合に送信する前記第１の放出装置ごとに設けられた消火物放出信号送信装置と、
消火物放出信号を所定の場合に送信する前記第２の放出装置ごとに設けられた消火物放出信号送信装置と、
前記第２の消火物放出信号送信装置から第２の消火物放出信号を受信し、この受信した第２の消火物放出信号に基づく信号を送信する自動火災報知装置と、
前記第１の消火物放出信号送信装置からの第１の消火物放出信号および前記自動火災報知装置からの信号を受信し、受信した第１の消火物放出信号に基づいて消火物を放出している第１の消火装置を特定し、受信した自動火災報知装置からの信号に基づいて消火物を放出している第２の放出装置を特定し、特定した第１の放出装置の種類および設置場所と第２の放出装置の種類および設置場所とに基づいて前記加圧送水装置に送水圧力制御信号および送水量制御信号を送信する制御装置と、
を備えたことを特徴とする消防システム。
【請求項１０】
所定の場所に設けられた消火物を放出する第１の放出装置と、
所定の場所に設けられた消火物を放出する第２の放出装置と、
前記第１の放出装置に向けて送水する第１の加圧送水装置と、
前記第２の放出装置に向けて送水する第２の加圧送水装置と、
消火物放出信号を所定の場合に送信する前記第１の放出装置ごとに設けられた消火物放出信号送信装置と、
消火物放出信号を所定の場合に送信する前記第２の放出装置ごとに設けられた消火物放出信号送信装置と、
前記第２の消火物放出信号送信装置から第２の消火物放出信号を受信し、この受信した第２の消火物放出信号に基づく信号を送信する自動火災報知装置と、
前記第１の消火物放出信号送信装置からの第１の消火物放出信号を受信し、受信した第１の消火物放出信号に基づいて消火物を放出している第１の消火装置を特定し、特定した第１の放出装置の種類および設置場所に基づいて前記第１の加圧送水装置に送水圧力制御信号および送水量制御信号を送信する制御装置と、
前記自動火災報知装置からの信号を受信し、受信した自動火災報知装置からの信号に基づいて消火物を放出している第２の放出装置を特定し、特定した第２の放出装置の種類および設置場所に基づいて前記第２の加圧送水装置に送水圧力制御信号および送水量制御信号を送信する制御装置と、
を備えたことを特徴とする消防システム。
【請求項１１】
前記第１の放出装置は、火災が発生した場合に自動的に消火物を放出する自動放出装置であり、
前記第１の消火物放出信号送信装置は、前記放出装置から放出される消火物の圧力が所定値以下となった場合に消火物放出信号を送信する圧力スイッチであり、
前記第２の放出装置は、手動で消火物を放出する手動放出装置であり、
前記第２の消火物放出信号送信装置は、起動押しボタンである、
ことを特徴とする請求項９または請求項１０に記載の消防システム。
【請求項１２】
前記自動放出装置は、スプリンクラー、泡放出装置、またはスプリンクラーおよび泡放出装置であり、
前記手動放出装置は、屋内消火栓装置である、
ことを特徴とする請求項１１に記載の消防システム。
【請求項１３】
前記加圧送水装置は、回転数がインバータ制御される駆動装置により駆動される少なくとも１つのポンプを具備することを特徴とする請求項１〜請求項１２のいずれか１項に記載の消防システム。
【発明の詳細な説明】
【技術分野】
【０００１】
本発明は、消防設備に関する。
【背景技術】
【０００２】
一般に、建物などに適用される消防システムでは、スプリンクラーや屋内消火栓などの放出装置への給水が、加圧送水装置から最も離れた放出装置で必要とされる圧力および送水量で行われている。このため、一般の消防システムでは、加圧送水装置から最も離れた放出装置以外の放出装置への給水が過剰な圧力および送水量で行われる。したがって、一般の消防システムでは、加圧送水装置から最も離れた放出装置以外の放出装置から水や泡水溶液などの消火物が放出される場合に、水損（放出された消火物が過剰な圧力や過剰な量であることによる２次的損害）が生じるという問題があった。
そこで、従来、放出装置に対しその設置場所に応じた圧力・送水量の給水を行うべく、配管中の給水圧力を検知し、この検知された圧力により、ポンプを駆動する駆動装置の回転数や電動弁の開度を制御する給水圧力制御システムが提案された（特許文献１、特許文献２参照）。
【特許文献１】特許第３１０９８４５号公報
【特許文献２】特許第３１０９８４６号公報
【発明の開示】
【発明が解決しようとする課題】
【０００３】
しかしながら、検知された給水圧力によって、ポンプを駆動する駆動装置の回転数や電動弁の開度を制御するためには、流水検知装置と放出装置とを繋ぐ２次側配管や加圧送水装置と流水検知装置とを繋ぐ１次側配管に圧力センサなどを設置して、この圧力センサが検知した圧力と放出装置の設置場所ごとにあらかじめ設定された基準圧力とを比較し、圧力センサが検知する圧力が基準圧力に一致するようにポンプや電動弁を制御するという、極めて複雑な制御を行わなければならない。したがって、上記従来の給水圧力制御システムには、その保守管理が困難であるという問題があった。
【０００４】
また、このように保守管理が困難であるために、上記従来の給水圧力制御システムには、安全性の確保が困難であるという問題もあった。
【０００５】
さらには、このように保守管理や安全性の確保が困難であるために、上記従来の給水圧力制御システムを建物などへ適用するためには、物的にも人的にも相当のコストがかかるという問題もあった。
そこで、本発明は、保守管理や安全性の確保が容易である低コストな消防システムを提供することを目的とする。
【課題を解決するための手段】
【０００６】
本発明によれば、上記課題は、次の手段によって、解決される。
【０００７】
第１の発明は、所定の場所に設けられた消火物を放出する放出装置と、前記放出装置に向けて送水する加圧送水装置と、消火物放出信号を所定の場合に送信する前記放出装置ごとに設けられた消火物放出信号送信装置と、前記消火物放出信号送信装置から消火物放出信号を受信し、この受信した消火物放出信号に基づいて消火物を放出している放出装置を特定し、この特定した放出装置の種類および設置場所に基づいて前記加圧送水装置に送水圧力制御信号および送水量制御信号を送信する制御装置と、を備えたことを特徴とする消防システムである。
【０００８】
第２の発明は、所定の場所に設けられた消火物を放出する放出装置と、前記放出装置に向けて送水する加圧送水装置と、消火物放出信号を所定の場合に送信する前記放出装置ごとに設けられた消火物放出信号送信装置と、前記消火物放出信号送信装置から消火物放出信号を受信し、この受信した消火物放出信号に基づく信号を送信する自動火災報知装置と、前記自動火災報知装置から信号を受信し、この受信した信号に基づいて消火物を放出している放出装置を特定し、この特定した放出装置の種類および設置場所に基づいて前記加圧送水装置に送水圧力制御信号および送水量制御信号を送信する制御装置と、を備えたことを特徴とする消防システムである。
【０００９】
第３の発明は、前記放出装置は、火災が発生した場合に自動的に消火物を放出する自動放出装置であり、前記消火物放出信号送信装置は、前記放出装置から放出される消火物の圧力が所定値以下となった場合に消火物放出信号を送信する圧力スイッチである、ことを特徴とする第１の発明または第２の発明に係る消防システムである。
【００１０】
第４の発明は、前記自動放出装置は、スプリンクラー、泡放出装置、またはスプリンクラーおよび泡放出装置であることを特徴とする第３の発明に係る消防システムである。
【００１１】
第５の発明は、前記放出装置は、手動で消火物を放出する手動放出装置であり、前記消火物放出信号送信装置は、起動押しボタンである、ことを特徴とする第１の発明または第２の発明に係る消防システムである。
【００１２】
第６の発明は、前記手動放出装置は、屋内消火栓装置であることを特徴とする第５の発明に係る消防システムである。
【００１３】
第７の発明は、前記放出装置は、火災が発生した場合に自動的に消火物を放出する自動放出装置および手動で消火物を放出する手動放出装置であり、前記自動放出装置について設けられている消火物放出信号送信装置は、前記放出装置から放出される消火物の圧力が所定値以下となった場合に消火物放出信号を送信する圧力スイッチであり、前記手動放出装置について設けられている消火物放出信号送信装置は、起動押しボタンである、ことを特徴とする第１の発明または第２の発明に係る消防システムである。
【００１４】
第８の発明は、前記自動放出装置は、スプリンクラー、泡放出装置、またはスプリンクラーおよび泡放出装置であり、前記手動放出装置は、屋内消火栓装置である、ことを特徴とする第７の発明に係る消防システムである。
【００１５】
第９の発明は、所定の場所に設けられた消火物を放出する第１の放出装置と、所定の場所に設けられた消火物を放出する第２の放出装置と、前記第１の放出装置および第２の放出装置に向けて送水する加圧送水装置と、消火物放出信号を所定の場合に送信する前記第１の放出装置ごとに設けられた消火物放出信号送信装置と、消火物放出信号を所定の場合に送信する前記第２の放出装置ごとに設けられた消火物放出信号送信装置と、前記第２の消火物放出信号送信装置から第２の消火物放出信号を受信し、この受信した第２の消火物放出信号に基づく信号を送信する自動火災報知装置と、前記第１の消火物放出信号送信装置からの第１の消火物放出信号および前記自動火災報知装置からの信号を受信し、受信した第１の消火物放出信号に基づいて消火物を放出している第１の消火装置を特定し、受信した自動火災報知装置からの信号に基づいて消火物を放出している第２の放出装置を特定し、特定した第１の放出装置の種類および設置場所と第２の放出装置の種類および設置場所とに基づいて前記加圧送水装置に送水圧力制御信号および送水量制御信号を送信する制御装置と、を備えたことを特徴とする消防システムである。
【００１６】
第１０の発明は、所定の場所に設けられた消火物を放出する第１の放出装置と、所定の場所に設けられた消火物を放出する第２の放出装置と、前記第１の放出装置に向けて送水する第１の加圧送水装置と、前記第２の放出装置に向けて送水する第２の加圧送水装置と、消火物放出信号を所定の場合に送信する前記第１の放出装置ごとに設けられた消火物放出信号送信装置と、消火物放出信号を所定の場合に送信する前記第２の放出装置ごとに設けられた消火物放出信号送信装置と、前記第２の消火物放出信号送信装置から第２の消火物放出信号を受信し、この受信した第２の消火物放出信号に基づく信号を送信する自動火災報知装置と、前記第１の消火物放出信号送信装置からの第１の消火物放出信号を受信し、受信した第１の消火物放出信号に基づいて消火物を放出している第１の消火装置を特定し、特定した第１の放出装置の種類および設置場所に基づいて前記第１の加圧送水装置に送水圧力制御信号および送水量制御信号を送信する制御装置と、前記自動火災報知装置からの信号を受信し、受信した自動火災報知装置からの信号に基づいて消火物を放出している第２の放出装置を特定し、特定した第２の放出装置の種類および設置場所に基づいて前記第２の加圧送水装置に送水圧力制御信号および送水量制御信号を送信する制御装置と、を備えたことを特徴とする消防システムである。
【００１７】
第１１の発明は、前記第１の放出装置は、火災が発生した場合に自動的に消火物を放出する自動放出装置であり、前記第１の消火物放出信号送信装置は、前記放出装置から放出される消火物の圧力が所定値以下となった場合に消火物放出信号を送信する圧力スイッチであり、前記第２の放出装置は、手動で消火物を放出する手動放出装置であり、前記第２の消火物放出信号送信装置は、起動押しボタンである、ことを特徴とする第９の発明または第１０の発明に係る消防システムである。
【００１８】
第１２の発明は、前記自動放出装置は、スプリンクラー、泡放出装置、またはスプリンクラーおよび泡放出装置であり、前記手動放出装置は、屋内消火栓装置である、ことを特徴とする第１１の発明に係る消防システムである。
【００１９】
第１３の発明は、前記加圧送水装置は、回転数がインバータ制御される駆動装置により駆動される少なくとも１つのポンプを具備することを特徴とする第１の発明〜第１２の発明のいずれか１つに係る消防システムである。
【発明の効果】
【００２０】
以上説明したように、本発明によれば、保守管理や安全性の確保が容易である低コストな消防システムを提供することができる。
【発明を実施するための最良の形態】
【００２１】
以下に、添付した図面を参照しつつ、本発明を実施するための最良の実施の形態を詳細に説明する。
【００２２】
図１は、本発明の第１の実施の形態に係る消防システムを示す図である。
図１に示すように、本発明の第１の実施の形態に係る消防システムは、スプリンクラー（ＳＰ）と、このスプリンクラー（ＳＰ）に２次側の配管を介して接続された流水検知装置１と、スプリンクラー（ＳＰ）ごとに設けられ流水検知装置１にそれぞれ接続された圧力スイッチ２と、流水検知装置１と１次側配管を介して接続された１次側配管に水を充満させる高架水槽３と、流水検知装置１に１次側配管を介して接続された加圧送水装置４と、この加圧送水装置４を制御する制御装置５と、呼水槽６と、圧力スイッチ７と、消火水槽８と、を備えている。
以下、４階で火災が発生したと仮定して、第１の実施の形態に係る消防システムについて説明する。なお、４階で火災が発生したと仮定したのは、説明の便宜のためである。
１次側配管および２次側配管には、高架水槽３からの水が充填されているが、４階で火災が発生すると、４階のスプリンクラー（ＳＰ）のスプリンクラーヘッドが熱により開放され水が放出される。スプリンクラー（ＳＰ）から水が放出され、高架水槽３単独では１次側配管および２次側配管に水を充填できなくなると、１次側配管および２次側配管の圧力が低下する。２次側配管の圧力が所定の圧力にまで低下すると、４階のスプリンクラー（ＳＰ）について設けられた圧力スイッチ２から信号が制御装置５へ送信される。制御装置５は、４階のスプリンクラー（ＳＰ）について設けられた圧力スイッチ２からの信号を受信すると、この受信した信号に基づいて水を放出しているスプリンクラー（ここでは、４階のスプリンクラー（ＳＰ））を特定する。制御装置５は、その記録手段に格納されている圧力送水量テーブル（図２）から、特定されたスプリンクラー（ＳＰ）が設置されている場所（ここでは４階）についてあらかじめ定められた圧力（ここでは、ＢＭＰａ）と送水量（ここでは、１（丸付き数字）Ｌ／ｍｉｎ）を読み出す。制御装置５は、読み出した圧力・送水量に基づく圧力制御信号・送水量制御信号を加圧送水装置４に送信する。加圧送水装置４は、呼水槽６からの水を利用して消火水槽８の水を４階のスプリンクラー（ＳＰ）に向けて送信するが、その際、制御装置５から受信した圧力制御信号・送水量制御信号に基づいて、送水の圧力・量を制御する。その結果、第１の実施の形態においては、加圧送水装置４からの送水圧力・送水量が、それぞれ、ＢＭＰａ、１（丸付き数字）Ｌ／ｍｉｎに維持される。
なお、１次側配管の圧力低下は、火災が発生していない場合であっても、配管の老化等によって配管から消火物が漏洩することにより、起こり得る。このように、火災とは異なる原因によって１次側配管の圧力が低下した場合、圧力スイッチ２から制御装置５に所定の信号が送信される。制御装置５は、圧力スイッチ２からの信号を受信すると、１次側配管の圧力を所定の圧力に維持すべく、加圧送水装置４を動作させる。
【００２３】
図２は、圧力送水量テーブルの例を示す図である。
図２の圧力送水量テーブルは、制御装置５の記録手段に格納されており、放出装置の種類および設置場所と圧力および送水量との対応関係を示すテーブルである。
図２においては、放出装置の種類として、スプリンクラー（ＳＰ）、屋内消火栓装置（Ｘ）、泡放出装置（Ｆ）、スプリンクラー（ＳＰ）＋屋内消火栓装置（Ｘ）、スプリンクラー（ＳＰ）＋泡放出装置（Ｆ）、屋内消火栓装置（Ｘ）＋泡放出装置（Ｆ）、スプリンクラー（ＳＰ）＋泡放出装置（Ｆ）＋屋内消火栓装置（Ｘ）の７種類が示されている。ここで、スプリンクラー（ＳＰ）＋屋内消火栓装置（Ｘ）というのは、スプリンクラー（ＳＰ）と屋内消火栓装置（Ｘ）が消火物を放出しているということを意味し、スプリンクラー（ＳＰ）＋泡放出装置（Ｆ）というのは、スプリンクラー（ＳＰ）と泡消火装置Ｆが消火物を放出していることを意味し、屋内消火栓装置（Ｘ）＋泡放出装置（Ｆ）というのは、屋内消火栓装置（Ｘ）と泡放出装置（Ｆ）が消火物を放出していることを意味し、スプリンクラー（ＳＰ）＋泡放出装置（Ｆ）＋屋内消火栓装置（Ｘ）というのは、スプリンクラー（ＳＰ）と泡放出装置（Ｆ）と屋内消火栓装置（Ｘ）が消火物を放出しているということを意味する。
圧力送水量テーブルにおいて放出装置の種類および設置場所と対応付けられている圧力および送水量は、放出装置の種類および設置場所の観点から、最適な値に設定されている。したがって、この圧力送水量テーブルによれば、放出装置の種類および設置場所に最適な圧力および送水量で、加圧送水装置４から送水をなすことができる。
なお、図２におけるＡ〜Ｗの値は、たとえば圧力損失計算によって算出することができるが、本発明は、Ａ〜Ｗの値の算出方法を圧力損失計算に限定するものではない。したがって、Ａ〜Ｗの値は、各放出装置の種類にとって最適な圧力を示すものであればなんでもよい。よって、Ａ〜Ｗの値は、各放出装置の種類にとって最適な圧力を示すものであるならば、たとえば、すべて同一の値であってもよいし、すべて別々の値であってもよいし、Ａ〜Ｗの一部に値を同じくするものがあってもよい。
また、図２における１（丸付き数字）〜７（丸付き数字）の値は、各放出装置の種類にとって最適な送水量を示すものであればなんでもよい。したがって、１（丸付き数字）〜７（丸付き数字）の値は、各放出装置の種類にとって最適な送水量を示すものであるならば、たとえば、すべて同一の値（ポンプの最大吐出量など）であってもよいし、すべて別々の値であってもよいし、１（丸付き数字）〜７（丸付き数字）の一部に値を同じくするものがあってもよい。
【００２４】
図３は、加圧送水装置４の例を示す図である。
図３に示すように、加圧送水装置４は、モータにより駆動される２台のポンプを具備している。
加圧送水装置４は、制御装置５からの圧力制御信号に基づいて、ポンプを駆動するモータの回転数を制御し、もって送水圧力を所定の値とする。また、加圧送水装置４は、制御装置５からの送水量制御信号に基づいて、起動させるポンプの数を変化させ、もって送水量を所定の値とする。
なお、本発明は、ポンプを駆動するモータの回転数を制御する方法を限定するものではないが、ポンプを駆動するモータの回転数の制御は、回転数を直接可変するＶＶＶＦインバータ（Ｖａｒｉａｂｌｅ  Ｖｏｌｔａｇｅ  Ｖａｒｉａｂｌｅ  Ｆｒｅｑｕｅｎｃｙ  Ｉｎｖｅｒｔｅｒ：可変電圧可変周波数インバータ）などのインバータ制御により行なうのが望ましい。このＶＶＶＦインバータは、可変電圧可変周波数制御方法を採用しており、出力トルク特性・システム効率・変速範囲において優れている。
なお、本発明の実施の形態においては、理解を容易にするため、加圧送水装置が２台のポンプを具備するとしたが、本発明に係る加圧送水装置には、１台以上のポンプを具備するすべての加圧送水装置が含まれる。したがって、たとえば、１台のポンプを具備する加圧送水装置も、本発明に含まれる。
【００２５】
図４は、本発明の第２の実施の形態に係る消防システムを示す図である。
図４に示すように、第２の実施の形態に係る消防システムは、スプリンクラー（ＳＰ）、屋内消火栓装置（Ｘ）、および泡放出装置（Ｆ）を備えている点で、スプリンクラー（ＳＰ）のみ備えている第１の実施の形態に係る消防システムと相違する。
以下、２階で火災が発生したと仮定して、第２の実施の形態に係る消防システムについて説明する。なお、２階で火災が発生したと仮定したのは、説明の便宜のためである。
２階で火災が発生すると、２階の泡放出装置（Ｆ）のヘッドが熱により開放され泡が放出されるとともに、２階のスプリンクラー（ＳＰ）のスプリンクラーヘッドが熱により開放され水が放出される。泡放出装置（Ｆ）から泡が放出され、スプリンクラーＦから水が放出されると、２次側配管の圧力が低下する。２次側配管の圧力が所定の圧力にまで低下すると、圧力スイッチ２から信号が制御装置５へ送信される。制御装置５は、圧力スイッチ２からの信号を受信すると、この受信した信号に基づいて水を放出している放出装置を特定する。制御装置５は、記録手段に格納されている圧力送水量テーブルから、特定された放出装置の種類および設置場所（ここでは、種類：泡放出装置（Ｆ）＋スプリンクラー（ＳＰ）、設置場所：２階）についてあらかじめ定められた圧力と送水量を読み出す。制御装置５は、読み出した圧力・送水量に基づく圧力制御信号および送水量制御信号を加圧送水装置４に送信する。そして、加圧送水装置４は、制御装置５から受信した圧力制御信号・送水量制御信号で、スプリンクラー（ＳＰ）および泡消火装置Ｆに向けて送水を行う。
なお、２階の屋内消火栓装置（Ｘ）について設けられている起動押しボタンが押されると、２階の圧力スイッチ２からの信号のみならず、２階の屋内消火栓装置（Ｘ）についての押しボタンからの信号も、制御装置５に送信される。この場合、制御装置５は、圧力スイッチ２からの信号と起動押しボタンからの信号を受信し、この受信した信号に基づいて水を放出している放出装置を特定する。制御装置５は、記録手段に格納されている圧力送水量テーブルから、特定された放出装置の種類および設置場所（ここでは、種類：泡放出装置（Ｆ）＋スプリンクラー（ＳＰ）＋屋内消火栓装置（Ｘ）、設置場所：２階）についてあらかじめ定められた圧力と送水量を読み出す。制御装置５は、読み出した圧力・送水量に基づく圧力制御信号および送水量制御信号を加圧送水装置４に送信する。
【００２６】
図５は、本発明の第３の実施の形態に係る消防システムを示す図である。
図５に示すように、第３の実施の形態は、泡放出装置（Ｆ）、スプリンクラー（ＳＰ）、屋内消火栓装置（Ｘ）に向けて送水を行う加圧送水装置４および消火水槽８をそれぞれ別個のものとした点で、第２の実施の形態と相違する。
このように加圧送水装置４を別個のものとすれば、加圧送水装置４の故障という危険を分散できる。また、消火水槽８を別個のものとすれば、１つの消火水槽８の容量が法令などで定められている場合にでも、多量の水を確保できる。
【００２７】
図６は、本発明の第４の実施の形態に係る消防システムを示す図である。
図６に示すように、第４の実施の形態に係る消防システムは、バックアップ用のポンプ１１を備える点で、バックアップ用のポンプ１１を備えない第２の実施の形態に係る消防システムと相違する。また、第４の実施の形態に係る消防システムは、連結送水管１４を備える点でも、第２の実施の形態に係る消防システムと相違する。
第４の実施の形態に係る消防システムにおいては、加圧送水装置４が故障した場合、操作盤１２の手動操作で、バックアップ用のポンプ１１を動作させることができる。したがって、第４の実施の形態に係る消防システムによれば、主たる加圧送水装置４が故障しても、消火活動を行うことができる。
また、大規模火災が発生して予想以上の水量が必要になった場合、連結送水管１４と消防車１３とが接続され、スプリンクラー（ＳＰ）、泡放出装置（Ｆ）、屋内消火栓装置（Ｘ）に加えて、連結送水管１４を介した消防車１３からの消火活動が行われるが、第４の実施の形態によれば、この連結送水管１４と加圧送水装置４が接続されている。したがって、第４の実施の形態によれば、消防車１３が到着しない場合や消防車１３からの送水が不可能となった場合でも、加圧送水装置４から連結送水管１４に送水が行われるため、スプリンクラー（ＳＰ）、泡放出装置（Ｆ）、屋内消火栓装置（Ｘ）、連結送水管１４による消火活動が可能となる。
【００２８】
以上説明したように、本発明の第１の実施の形態〜第４の実施の形態に係る消防システムによれば、放出装置の種類および設置場所に基づいて加圧送水装置４からの送水圧力および送水量が制御される。したがって、第１の実施の形態〜第４の実施の形態によれば、加圧送水装置４からの送水が必要以上の圧力および送水量となることがないため、水損（放出される消火物が過剰な圧力や過剰な量であることによる２次的損害）を防止できるとともに、効率的な消火を行うことができる。そして、第１の実施の形態〜第４の実施の形態に係る消防システムは、その保守管理が容易であり、このため安全性も容易に確保できる。したがって、第１の実施の形態〜第４の実施の形態に係る消防システムによれば、消防設備を、物的にも人的にも低コストで実現することができるため、建物などへの適用を容易に行うことができる。
【００２９】
また、第１の実施の形態〜第４の実施の形態に係る消防システムによれば、加圧送水装置４からの送水圧力および送水量が制御されるため、減圧弁や調圧弁などを配管に設ける必要がなくなるとともに、配管への圧力鋼管の使用量などが減少する。
【００３０】
また、第１の実施の形態、第２の実施の形態、および第４の実施の形態に係る消防システムが使用する加圧送水装置４は、１台である。したがって、第１の実施の形態、第２の実施の形態、および第４の実施の形態によれば、消防システムの保守管理、安全性の確保、低コスト化が極めて容易になるとともに、加圧送水装置４を設置するために広いスペースを確保する必要性が減少する。
【００３１】
第１の実施の形態〜第４の実施の形態に係る消防システムによれば、任意の位置に設置された任意の性能を有する放出装置への送水を適切な圧力および送水量とすることができる。したがって、第１の実施の形態〜第４の実施の形態によれば、消防システムを導入する際における、放出装置の設置場所や放出装置の性能についての選択肢を広げることができる。
【００３２】
また、第１の実施の形態〜第４の実施の形態に係る消防システムによれば、加圧送水装置４から各放出装置に向けて最適な圧力および送水量で送水が行われる。したがって、第１の実施の形態〜第４の実施の形態に係る消防システムによれば、各放出装置の性能を最大限に発揮することができる。
【００３３】
また、第１の実施の形態〜第４の実施の形態に係る消防システムは、既存の放出装置に圧力スイッチを設けて、この圧力スイッチと制御装置とを繋ぎ、この制御装置５によって加圧送水装置を制御することにより、既存の消防システムにも容易に適用することができる。
【００３４】
なお、上記した第１の実施の形態〜第４の実施の形態においては、圧力スイッチからの信号および起動押しボタンからの信号が制御装置５によって直接受信されることとしたが、本発明は、制御装置５がこれらの信号を直接受信する形態に限定されるものではない。したがって、たとえば、圧力スイッチ２からの信号や起動押しボタンからの信号を自動火災報知装置９が受信し、この自動火災報知装置９からの信号を制御装置５が受信することとしてもよい。この場合、制御装置５は、自動火災報知装置９からの信号に基づいて、水を放出している放出装置を特定し、このようにして特定した放出装置の種類と設置場所とに基づいて、加圧送水装置４から送水される水の圧力および量を制御する。
【００３５】
なお、自動火災報知装置９とは、火災の発生を防火対象物の関係者などに自動的に放置する消防関係法に基づく装置であって、感知器・中継器・受信機・発信機などで構成されたものをいう。
【００３６】
なお、圧力スイッチは、制御装置５と自動火災報知装置９の双方に信号を送信してもよい。この場合は、加圧送水装置４からの送水圧力および送水量の制御が可能となるとともに、自動火災報知装置９による火災発生の報知も可能になる。
また、２つの圧力スイッチを設けて、一方の圧力スイッチの信号を制御装置５に送信し、他方の圧力スイッチ２の信号を自動火災報知装置９に送信してもよい。この場合は、一方の圧力スイッチ２からの信号に基づいて加圧送水装置４の送水圧力および送水量が制御され、他方の圧力スイッチ２からの信号に基づいて自動火災報知装置９による火災発生の報知がなされる。
【００３７】
なお、制御装置５は、ハードウェア的に構成することができるが、ソフトウェア的に構成することもできる。
【産業上の利用可能性】
【００３８】
本発明に係る消防システムは、あらゆる場所（駐車場、競技場、工場、住宅、駅、空港など）の消防設備として用いることができるが、特に、高層ビルの消防設備に適している。
【図面の簡単な説明】
【００３９】
【図１】本発明の第１の実施の形態に係る消防システムを示す図である。
【図２】圧力流水量テーブルの例を示す図である。
【図３】加圧送水装置の例を示す図である。
【図４】本発明の第２の実施の形態に係る消防システムを示す図である。
【図５】本発明の第３の実施の形態に係る消防システムを示す図である。
【図６】本発明の第４の実施の形態に係る消防システムを示す図である。
【符号の説明】
【００４０】
１    流水検知装置
２    圧力スイッチ
３    高架水槽
４    加圧送水装置
５    制御装置
６    呼水槽
７    圧力スイッチ
８    消火水槽
９    自動火災報知装置
１０    泡原液装置
１１    バックアップ用ポンプ
１２    制御盤
１３    消防車
１４    連結送水管
ＳＰ    スプリンクラー
Ｆ    泡放出装置
Ｘ    屋内消火栓装置
【図１】
2005253532.tif 000003
【図２】
2005253532.tif 000004
【図３】
2005253532.tif 000005
【図４】
2005253532.tif 000006
【図５】
2005253532.tif 000007
【図６】
2005253532.tif 000008